【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
コンピュータ支援医療システムであって、
台の上に配置される患者に対して医療処置を実行するために当該コンピュータ支援医療システムを制御する制御ユニットと、
該制御ユニットに連結され、台状態領域を有するように構成される、表示ユニットとを含み、
前記制御ユニットは、
前記台が当該コンピュータ支援医療システムに通信的に連結されている間に前記台についての台移動要求を受信し、
該台移動要求を許可するか否かを決定し、
前記台移動要求が許可されるべきであるという決定に応答して前記台が移動することを許可し、
前記台の基部に対する前記台の頂部の向きを記述する情報を受信し、且つ
前記台状態領域内で、前記向きを図式的に描写する１つ又はそれよりも多くのアイコンの表示を引き起こす、
ように構成される、
コンピュータ支援医療システム。
【請求項２】
前記１つ又はそれよりも多くのアイコンは、前記台の前記基部に対してある角度に向けられる前記台の前記頂部を図式的に描写し、前記角度は、前記向きの大きさ及び方向に基づく、請求項１に記載のコンピュータ支援医療システム。
【請求項３】
前記向きは、前記台の前記基部に対する前記台の前記頂部の傾斜角度又は前記台の前記基部に対する前記台の前記頂部のトレンデレンブルグ向きと関連付けられる、請求項１又は２に記載のコンピュータ支援医療システム。
【請求項４】
前記１つ又はそれよりも多くのアイコンは、前記向きが変化していることを示す強調を含む、請求項１乃至３のうちのいずれか１項に記載のコンピュータ支援医療システム。
【請求項５】
前記強調は、色の変化、前記１つ又はそれよりも多くのアイコンの点滅、又は前記向きの変化の方向を図式的に描写する指向性矢印を含む、請求項４に記載のコンピュータ支援医療システム。
【請求項６】
前記制御ユニットは、
前記台の前記基部に対する前記台の前記頂部の位置を記述する情報を受信して、
前記台状態領域内で、前記位置を図式的に描写する１つ又はそれよりも多くの追加的なアイコンの表示を引き起こす、
ように更に構成され、
前記位置は、前記台の高さ又はスライド設定と関連付けられる、
請求項１乃至５のうちのいずれか１項に記載のコンピュータ支援医療システム。
【請求項７】
前記制御ユニットは、
前記台の状態を記述する前記台からの情報を受信して、
前記台状態領域内で、前記状態を図式的に描写する１つ又はそれよりも多くの追加的なアイコンの表示を引き起こす、
ように更に構成され、
前記状態は、前記台の１つ又はそれよりも多くの足が係止されているか否か、前記台の１つ又はそれよりも多くのホイールが係止されているか否か、及び患者が前記台の前記頂部でどのように方向付けられているかのうちの少なくとも１つと関連付けられる、
請求項１乃至６のうちのいずれか１項に記載のコンピュータ支援医療システム。
【請求項８】
前記表示ユニットは、主表示領域を含むように更に構成され、
前記制御ユニットは、
当該コンピュータ支援医療システムと関連付けられる撮像デバイスから１つ又はそれよりも多くの画像を取得して、
前記表示ユニットに、前記１つ又はそれよりも多くの画像を、前記主表示領域に表示させる、
ように更に構成され、
前記台状態領域は、前記主表示領域の上に重ね合わせられる、
請求項１乃至７のうちのいずれか１項に記載のコンピュータ支援医療システム。
【請求項９】
前記表示ユニットは、情報メッセージ領域を含むように更に構成され、
前記制御ユニットは、前記表示ユニットに、前記台と関連付けられる１つ又はそれよりも多くの情報メッセージを、前記情報メッセージ領域に表示させる、ように更に構成される、
請求項１乃至８のうちのいずれか１項に記載のコンピュータ支援医療システム。
【請求項１０】
前記１つ又はそれよりも多くのアイコンは、前記台についての運動限界のインジケータを含む、請求項１乃至９のうちのいずれか１項に記載のコンピュータ支援医療システム。
【請求項１１】
前記１つ又はそれよりも多くのアイコンは、前記台についての運動限界に接近していることを示す強調を含む、請求項１乃至１０のうちのいずれか１項に記載のコンピュータ支援医療システム。
【請求項１２】
前記強調は、前記１つ又はそれよりも多くのアイコンを点滅させること及び前記１つ又はそれよりも多くのアイコンの色を変更することのうちの少なくとも１つを含む、請求項１１に記載のコンピュータ支援医療システム。
【請求項１３】
当該コンピュータ支援医療システム及び前記台は、物理的に別個のデバイスである、請求項１乃至１２のうちのいずれか１項に記載のコンピュータ支援医療システム。
【請求項１４】
前記制御ユニットは、前記台から前記情報を受信するように構成される、請求項１乃至１３のうちのいずれか１項に記載のコンピュータ支援医療システム。
【請求項１５】
前記制御ユニットは、
術中台運動モードに入るという要求に応答して前記術中台運動モードに入るように更に構成され、
前記制御ユニットは、前記術中台運動モードにないときに前記台の移動を防止する、
請求項１乃至１４のうちのいずれか１項に記載のコンピュータ支援医療システム。
【請求項１６】
コンピュータ支援医療システムを作動させる方法であって、
台が当該コンピュータ支援医療システムに通信的に連結されている間に、前記コンピュータ支援医療システムの制御ユニットによって、前記台についての台移動要求を受信するステップと、
前記制御ユニットによって、前記台移動要求を許可するか否かを決定するステップと、
前記制御ユニットによって、前記台移動要求が許可されるべきであると決定することに応答して、前記台が移動することを許可するステップと、
前記制御ユニットによって、前記台の基部に対する前記台の頂部の向きを記述する情報を受信するステップと、
前記制御ユニットによって、表示ユニットに、台状態領域内で、前記向きを図式的に描写する１つ又はそれよりも多くのアイコンを表示させるステップとを含む、
方法。
【請求項１７】
前記１つ又はそれよりも多くのアイコンは、前記台の前記基部に対してある角度に向けられる前記台の前記頂部を図式的に描写し、前記角度は、前記向きの大きさ及び方向に基づき、前記向きは、前記台の前記基部に対する前記台の前記頂部の傾斜角度又は前記台の前記基部に対する前記台の前記頂部のトレンデレンブルグ向きと関連付けられる、請求項１６に記載の方法。
【請求項１８】
前記１つ又はそれよりも多くのアイコンは、前記向きが変化していることを示す強調を含む、請求項１６又は１７に記載の方法。
【請求項１９】
前記台の前記基部に対する前記台の前記頂部の位置を記述する情報を受信するステップと、
前記台状態領域内で、前記台及び前記位置を図式的に描写する１つ又はそれよりも多くの追加的なアイコンの表示を引き起こすステップとを更に含み、
前記位置は、前記台の高さ又はスライド設定と関連付けられる、
請求項１６乃至１８のうちのいずれか１項に記載の方法。
【請求項２０】
前記１つ又はそれよりも多くのアイコンは、前記台についての運動限界のインジケータを含む、請求項１６乃至１９のうちのいずれか１項に記載の方法。
【請求項２１】
前記１つ又はそれよりも多くのアイコンは、前記台についての運動限界に接近していることを示す強調を含む、請求項１６乃至２０のうちのいずれか１項に記載の方法。
【請求項２２】
前記コンピュータ支援医療システム及び前記台は、物理的に別個のデバイスであり、前記制御ユニットは、前記台から前記情報を受信するように構成される、請求項１６乃至２１のうちのいずれか１項に記載の方法。
【請求項２３】
前記制御ユニットによって、術中台運動モードに入るという要求に応答して、前記術中台運動モードに入るステップを更に含み、前記制御ユニットは、前記術中台運動モードの外側の前記台の移動を防止する、請求項１６乃至２２のうちのいずれか１項に記載の方法。
【請求項２４】
コンピュータ支援医療システムの制御ユニットと関連付けられる１つ又はそれよりも多くのプロセッサによって実行されるときに、該１つ又はそれよりも多くのプロセッサに、請求項１６乃至２３のうちのいずれか１項に記載の方法を実行させるように構成される、複数の機械可読指令を含む、持続性機械可読媒体。